(57)【特許請求の範囲】
【請求項１】
角部にアールを形成した多角形の天板部及びこの天板部の各直線辺部から下方へ折曲形成した側板部を有するカバー体基部における相隣る離間した異方向の第一面部と第二面部を構成する当該側板部同士を、湾曲部材により連結してなる湾曲面構造において、前記第一面部と前記第二面部に、少なくとも一方が連結方向に長い孔部を形成するとともに、前記湾曲部材に、前記孔部の長手方向に対して直角方向に弾性変形し、当該弾性変形によって前記孔部に挿入するとともに、挿入によりストッパ部が前記孔部の縁部に係止する固定ボス部を設けたことを特徴とする湾曲面構造。
【請求項２】
前記湾曲部材は、前記固定ボス部を設けた湾曲板部及びこの湾曲板部の上縁部から突出して前記天板部に重なる係合板部を有することを特徴とする請求項１記載の湾曲面構造。
【請求項３】
前記固定ボス部は、中央が前記湾曲板部に一体の固定端になり、かつ両端が自由端となるＭ形状に形成し、両端に前記ストッパ部を設けてなることを特徴とする請求項１記載の湾曲面構造。
【請求項４】
前記固定ボス部の両端に対向する前記湾曲板部には、当該固定ボス部の両端と当該湾曲板部間の間隔を大きくする凹溝を設けてなることを特徴とする請求項３記載の湾曲面構造。
【発明の詳細な説明】
【０００１】
【発明の属する技術分野】
本発明は離間した異方向の第一面部と第二面部を湾曲部材により連結してなるケーシング等に用いて好適な湾曲面構造に関する。
【０００２】
【従来の技術】
一般に、移動式除湿乾燥機等のケーシングは、上面部が開放された直方体形のケーシング本体に、上からカバー体を被せて構成することも多く、通常、カバー体は、四角形の天板部とこの天板部の各辺部から下方へ折曲形成した側板部を有する（図６参照）。ところで、このようなカバー体は、金属板で形成されるため、天板部が完全に四角形であれば、加工は容易であり、また、相隣る側板部同士も溶接やネジ止め等により容易に結合できる。しかし、天板部の角部にアールを形成した場合、角部の加工処理は困難となり、通常、平坦面となる側板部のみを天板部に一体形成し、相隣る側板部同士は、別途、合成樹脂等により一体成形した湾曲部材で連結する湾曲面構造を採用している。
【０００３】
図７及び図８は、従来の湾曲面構造Ｍｏを示す。５０はカバー体基部であり、角部５１ｒ…にアールを形成した四角形の天板部５１とこの天板部５１の各直線辺部から下方へ折曲形成した側板部５２…を有する。また、５３…は合成樹脂等により別途形成した湾曲部材であり、この湾曲部材５３…を相隣る側板部５２，５２…同士間に付設して湾曲面構造Ｍｏ…を構成していた。この場合、湾曲部材５３は、角部５１ｒに沿って湾曲する湾曲板部５３ｒとこの湾曲板部５３ｒの上縁部から突出して天板部５１に重なる係合板部５３ｓを有し、カバー体基部５０に付設する際には、天板部５１に設けた二つの円孔６１ａ，６１ｂに、係合板部５３ｓに設けたキノコ形の固定ボス部６２ａ，６２ｂを挿入（圧入）していた。固定ボス部６２ａ，６２ｂは弾性を有するキノコ形のため、円孔６１ａ，６１ｂへの挿入は許容されるも、挿入によりストッパ部６３ａ，６３ｂが円孔６１ａ，６１ｂに係止して抜止される。これにより、カバー体Ｃｃｏが得られる。
【０００４】
【発明が解決しようとする課題】
しかし、上述した従来の湾曲面構造Ｍｏは、次のような問題点があった。
【０００５】
第一に、固定ボス部６２ａ，６２ｂは同一平面上に同一方向を向いて設けられるため、固定ボス部６２ａ，６２ｂを支点に湾曲部材５３がめくれ易く、結局、付設した湾曲部材５３がガタついたり脱落する虞れがあるなど、湾曲部材５３の十分な固定強度を確保できない。
【０００６】
第二に、固定ボス部６２ａ，６２ｂを設ける係合板部５３ｓの突出幅をある程度確保する必要があるため、天板部５１に重なる係合板部５３ｓにおける無用な面積が大きくなり、湾曲部材５３の大型化及びコストアップを招くのみならず、製品の形状性（デザイン性，商品性）を大きく損ねてしまう。
【０００７】
本発明はこのような従来の技術に存在する課題を解決したものであり、湾曲部材の十分な固定強度を確保して湾曲部材のめくれ，ガタ付き，脱落等を確実に防止するとともに、湾曲部材の小型化及びコストダウンを図り、しかも、製品の形状性を飛躍的に高めることができる湾曲面構造の提供を目的とする。
【０００８】
【課題を解決するための手段及び実施の形態】
本発明は、角部１１ｒ…にアールを形成した多角形の天板部１１及びこの天板部１１の各直線辺部から下方へ折曲形成した側板部１２…を有するカバー体基部１０における相隣る離間した異方向の第一面部２ａと第二面部２ｂを構成する当該側板部１２…同士を、湾曲部材３により連結してなる湾曲面構造Ｍを構成するに際して、第一面部２ａと第二面部２ｂに、少なくとも一方が連結方向に長い孔部４ａ，４ｂを形成するとともに、湾曲部材３に、孔部４ａ，４ｂの長手方向に対して直角方向に弾性変形し、当該弾性変形によって孔部４ａ，４ｂに挿入するとともに、挿入によりストッパ部１５ｐ，１５ｑが孔部４ａ，４ｂの縁部に係止する固定ボス部５ａ，５ｂを設けたことを特徴とする。
【０００９】
この場合、好適な実施の形態により、湾曲部材３は、固定ボス部５ａ，５ｂを設けた湾曲板部１３及びこの湾曲板部１３の上縁部から突出して天板部１１に重なる係合板部１４により構成する。また、固定ボス部５ａ，５ｂは、中央が湾曲板部１３に一体の固定端になり、かつ両端が自由端となるＭ形状に形成し、両端にストッパ部１５ｐ，１５ｑを設ける。さらに、固定ボス部５ａ，５ｂの両端に対向する湾曲板部１３には、当該固定ボス部５ａ，５ｂの両端と当該湾曲板部１３間の間隔を大きくする凹溝１６ａ…，１６ｂ…を設ける。
【００１０】
これにより、湾曲部材３に設けた二つの固定ボス部５ａ，５ｂは、離間した異方向の第一面部２ａと第二面部２ｂにそれぞれ係止するため、湾曲部材３は安定に固定されるとともに、十分な固定強度が確保される。また、カバー体基部１０に適用した場合には、天板部１１に重なる係合板部１４の突出幅は必要最小限で足りるため、係合板部１４の面積が無用に大きくなることはない。
【００１１】
【実施例】
次に、本発明に係る好適な実施例を挙げ、図面に基づき詳細に説明する。
【００１２】
まず、本実施例に係る湾曲面構造Ｍの構成部材について、図１〜図６を参照して説明する。なお、実施例は、図６に示す移動式除湿乾燥機等のケーシングＣに適用したものであり、湾曲面構造Ｍは、直方体形のケーシング本体Ｃｍに上から被せるカバー体Ｃｃの角部に設けたものである。
【００１３】
１０はカバー体基部であり、角部１１ｒ…にアールを形成した四角形の天板部１１及びこの天板部１１の各直線辺部からそれぞれ下方へ折曲形成した側板部１２…を有する。このカバー体基部１０はステンレス板等の金属板をプレス成形して製作できる。この場合、相隣る側板部１２と１２…は、離間した異方向の第一面部２ａと第二面部２ｂとなり、この第一面部２ａと第二面部２ｂは後述する湾曲部材３により連結する。また、第一面部２ａと第二面部２ｂには、それぞれ連結方向に長い長方形状の孔部４ａ，４ｂを設ける。したがって、孔部４ａ…はカバー体基部１０に計８つ設けられる。
【００１４】
他方、３は湾曲部材であり、合成樹脂等により一体成形する。湾曲部材３は、湾曲板部１３及びこの湾曲板部１３の上縁部から直角方向に突出して天板部１１に重なる係合板部１４を有する。この場合、湾曲板部１３は、長手方向中央に設けた角部１１ｒに沿った湾曲部１３ｒと、この湾曲部１３ｒの両側に設けた平坦部１３ａ，１３ｂを有し、この平坦部１３ａと１３ｂは第一面部２ａと第二面部２ｂにそれぞれ重なる。また、湾曲板部１３の上下幅は、側板部１２…の上下幅に一致する。一方、係合板部１４の突出幅は天板部１１に重なる必要最小限の幅に選定する。
【００１５】
さらに、湾曲板部１３の内壁面、即ち、平坦部１３ａ，１３ｂの内壁面には、孔部４ａ，４ｂに挿入して係止する固定ボス部５ａ，５ｂをそれぞれ一体に設ける。固定ボス部５ａ，５ｂは、図４に示すように、中央が湾曲板部１３に一体の固定端になり、かつ両端が自由端となるＭ形状に形成し、両端にストッパ部１５ｐ，１５ｑを設ける。即ち、固定ボス部５ａ（５ｂも同じ）は、湾曲板部１３から直角に突出した一対の突片部２１ｐ，２１ｑと、各突片部２１ｐ，２１ｑの先端から反対方向に折返した端片部２２ｐ，２２ｑを有し、端片部２２ｐ，２２ｑの端部外側面に鋸刃形のストッパ部１５ｐ，１５ｑを一体形成する。
【００１６】
これにより、固定ボス部５ａ，５ｂは、孔部４ａ，４ｂの長手方向に対して直角方向に弾性変形し、この弾性変形により孔部４ａ，４ｂに挿入できるとともに、挿入によりストッパ部１５ｐ，１５ｑが孔部４ａ，４ｂの縁部に係止し、抜け止めされる。このような固定ボス部５ａ，５ｂは、Ｍ形状に形成するため、固定端からストッパ部１５ｐ，１５ｑを形成した自由端までの長さが実質的に長くなり、ストッパ部１５ｐ，１５ｑを形成した両端部位における十分な弾性が確保される。よって、比較的薄い側板部１２…に設けた孔部４ａ…にも容易かつ確実に挿入できる。
【００１７】
さらに、固定ボス部５ａ，５ｂの両端に対向する湾曲板部１３には、凹溝１６ａ…，１６ｂ…を設ける。これにより、固定ボス部５ａ，５ｂの両端と当該湾曲板部１３間の間隔が大きくなり、側板部１２…が薄くても金型加工及び成形処理が容易となる。特に、凹溝１６ａ…，１６ｂ…は、側板部１２…の板厚が１〔ｍｍ〕以下の場合に設けて極めて有効である。
【００１８】
次に、本実施例に係る湾曲面構造Ｍの組立方法について、図５及び図６を参照して説明する。
【００１９】
まず、カバー体基部１０と四つの湾曲部材３…を用意する。湾曲部材３は図５に示すように、カバー体基部１０における角部に配し、固定ボス部５ａ，５ｂを孔部４ａ，４ｂに位置させる。そして、手で湾曲部材３を矢印Ｈ１方向に押せば、固定ボス部５ａ，５ｂは、それぞれ孔部４ａ，４ｂに対して４５゜の方向、即ち、矢印Ｈ２，Ｈ２方向に変位する。この際、固定ボス部５ａ，５ｂは、孔部４ａ，４ｂの長手方向に対して直角方向へ弾性変形するため、この弾性変形により孔部４ａ，４ｂに挿入（圧入）する。
【００２０】
一方、固定ボス部５ａ，５ｂは孔部４ａ，４ｂに挿入されることにより、ストッパ部１５ｐ…，１５ｑ…が孔部４ａ，４ｂの縁部に係止し、抜け止めされる。固定ボス部５ａ，５ｂはＭ形状に形成され、ストッパ部１５ｐ，１５ｑを形成した両端部位は十分な弾性が確保されているため、比較的薄い側板部１２…に設けた孔部４ａ…に対しても容易かつ確実に挿入できるととともに、ワンタッチで行うことができる。なお、固定ボス部５ａ，５ｂは孔部４ａ，４ｂに対して４５゜の方向に変位するため、孔部４ａ，４ｂの長手方向長さは、固定ボス部５ａ，５ｂの挿入開始から挿入終了までの変位を許容する長さに選定する。
【００２１】
さらに、残りの湾曲部材３…も同様に組付を行う。これにより、図６に示すカバー体Ｃｃが出来上がる。よって、直方体形のケーシング本体Ｃｍに上から被せることにより、移動式除湿乾燥機等とケーシングＣとして利用できる。なお、本発明に係る湾曲面構造Ｍによれば、湾曲部材３の固定ボス部５ａ，５ｂはカバー体基部１０の側面部１２…に係止するため、側面部１２…に設けた孔部４ａ，４ｂの位置に対応させた同様の孔部をケーシング本体Ｃｍに設ければ、固定ボス部５ａ，５ｂによりカバー体Ｃｃとケーシング本体Ｃｍを固定できる。したがって、この場合、固定ボス部５ａ，５ｂはカバー体Ｃｃとケーシング本体Ｃｍの固定部材を兼用する。
【００２２】
よって、本実施例に係る湾曲面構造Ｍによれば、湾曲部材３に設けた二つの固定ボス部５ａ，５ｂは、離間した異方向の第一面部２ａと第二面部２ｂにそれぞれ係止するため、湾曲部材３は安定に固定されるとともに、十分な固定強度が確保され、湾曲部材３のめくれ，ガタ付き，脱落等が確実に防止される。また、カバー体Ｃｃに適用した場合には、天板部１１に重なる係合板部１４の幅は必要最小限で足り、係合板部１４の面積が無用に大きくなることはない。したがって、湾曲部材３の小型化及びコストダウンが図られるとともに、製品の形状性（デザイン性，商品性）が飛躍的に高められる。
【００２３】
以上、実施例について詳細に説明したが、本発明はこのような実施例に限定されるものではなく、細部の構成，形状，数量，素材等において、本発明の要旨を逸脱しない範囲で任意に変更，追加，削除することができる。例えば、実施例はケーシングＣに用いるカバー体Ｃｃを例示したが、このような用途に限定されるものではなく、同様の構造を有する任意の用途に利用できる。また、カバー体基部１０の形状は、四角形を例示したが、三角形や六角形等の任意の多角形に適用できるし、固定ボス部５ａ，５ｂの形状等も例示に限定されるものではない。さらに、孔部４ａ，４ｂは、双方を連結方向に長い形状に形成したが、一方のみを長くし、他方は固定ボス部５ａ…の長さに略一致させてもよい。
【００２４】
【発明の効果】
このように、本発明は、角部にアールを形成した多角形の天板部及びこの天板部の各直線辺部から下方へ折曲形成した側板部を有するカバー体基部における相隣る離間した異方向の第一面部と第二面部を構成する当該側板部同士を、湾曲部材により連結してなる湾曲面構造において、第一面部と第二面部に、少なくとも一方が連結方向に長い孔部を形成するとともに、湾曲部材に、孔部の長手方向に対して直角方向に弾性変形し、当該弾性変形によって孔部に挿入するとともに、挿入によりストッパ部が孔部の縁部に係止する固定ボス部を設けたため、次のような顕著な効果を奏する。
【００２５】
（１）  湾曲部材を安定に固定できるとともに、十分な固定強度を確保できるため、湾曲部材のめくれ，ガタ付き，脱落等を確実に防止できる。特に、一対の固定ボス部の方向が異方向（実施例は９０゜）となるため、互いに補い合うことにより双方の固定ボス部が抜けにくくなる。
【００２６】
（２）  第一面部と第二面部を、カバー体基部における相隣る側板部同士に適用するとともに、湾曲板部及び係合板部を有する湾曲部材を用いたため、天板部に重なる係合板部の幅を必要最小限に済ませることができ、湾曲部材の小型化及びコストダウンを図れるとともに、製品の形状性（デザイン性，商品性）を飛躍的に高めることができる。
【００２７】
（３）  好適な実施の形態により、固定ボス部をＭ形状に形成すれば、固定端からストッパ部を形成した自由端までの長さが実質的に長くなり、ストッパ部を形成した両端部位における十分な弾性を確保でき、もって、比較的薄い側板部に設けた孔部にも容易かつ確実に挿入できる。
【００２８】
（４）  好適な実施の形態により、固定ボス部の両端に対向する湾曲板部に、当該固定ボス部の両端と当該湾曲板部間の間隔を大きくする凹溝を設けて構成すれば、側板部が薄くても金型加工及び成形処理が容易となる。
【図面の簡単な説明】
【図１】本発明の好適な実施例に係る湾曲面構造の一部破断平面図、
【図２】図１中Ａ−Ａ線断面図、
【図３】同湾曲面構造に用いるカバー体基部の一部を示す正面図、
【図４】同湾曲面構造に用いる湾曲部材に設けた固定ボス部の断面図、
【図５】同湾曲面構造の組立説明図、
【図６】同湾曲面構造を用いたケーシングの一部を示す斜視図、
【図７】従来の技術に係る湾曲面構造の平面図、
【図８】図７中Ｂ−Ｂ線断面図、
【符号の説明】
Ｍ        湾曲面構造
２ａ      第一面部
２ｂ      第二面部
３        湾曲部材
４ａ…    孔部
５ａ…    固定ボス部
１０      カバー体基部
１１      天板部
１１ｒ…  角部
１２…    側板部
１３      湾曲板部
１４      係合板部
１５ｐ…  ストッパ部
１６ａ…  凹溝
【図１】
0003593677.tif 000002
【図２】
0003593677.tif 000003
【図３】
0003593677.tif 000004
【図４】
0003593677.tif 000005
【図５】
0003593677.tif 000006
【図６】
0003593677.tif 000007
【図７】
0003593677.tif 000008
【図８】
0003593677.tif 000009